【事件の表示】
　平成１０年特許願第　２８４９７号「ディスク回転制御装置」拒絶査定不服審判事件〔平成１１年　８月２７日出願公開、特開平１１−２３２７７２〕について、次のとおり審決する。
【結　論】
　本件審判の請求は、成り立たない。
【理　由】
１．手続の経緯と本願発明
　本件審判請求に係る出願（以下、「本願」という。）は、平成１０年２月１０日の出願であって、その請求項１乃至２に係る発明は、平成１９年５月１０日付け手続補正により補正された明細書の特許請求の範囲の請求項１乃至２に記載された事項により特定されるとおりのものと認められるところ、請求項１に係る発明（以下、「本願発明」という。）は、次のとおりのものである。
　
「【請求項１】　線速度一定で記録されたディスクに対してデータの再生を行なうためのディスク回転制御装置であって、
　前記ディスクを回転駆動するスピンドルモータの所定回転角毎に回転パルスを発生させ、該回転パルスに基づいて、所定の基準クロックに対する該回転パルスの周波数誤差及び位相差情報を含む第１の誤差情報を検出する第１の誤差検出手段と、
　前記ディスクの再生信号に含まれる同期信号を検出し、該同期信号に基づいて、該同期信号の周波数誤差及び位相差情報を含む第２の誤差情報を検出する第２の誤差検出手段と、
　前記同期信号が所定間隔で検出されているか否かを判定する同期信号評価手段と、
　所定周期のクロックをカウントし、且つ、前記同期信号評価手段において前記同期信号が所定間隔で検出されていると判定されている間、前記同期信号が検出される前記所定間隔で前記カウントがリセットされることによって、前記同期信号が所定間隔で検出されない期間を計測する計測手段と、
　該計測手段による計測値と所定値とを比較する比較器と、
　前記第１及び第２の誤差情報を含む複数誤差情報から、択一的に選ばれる選択誤差情報を選択する誤差情報選択手段と、
　該選択誤差情報に基づいて、誤差が減少する方向に前記スピンドルモータを回転駆動するモータ駆動手段と
　を有し、
　前記誤差情報選択手段が、前記第２の誤差情報を選択しているとき、前記計測値が前記所定値以上になった段階で前記第１の誤差情報を選択するように構成したことを特徴とするディスク回転制御装置。」
   　
２．引用例
（１）引用例１
　これに対して、当審からの拒絶の理由に引用された、本願の出願前に頒布された刊行物である特公平５−６７５１号公報（以下、「引用例１」という。）には、ディスク再生装置の回転制御装置に関して、図面とともに、以下の技術事項が記載されている（なお、下線は当審で付与した。以下同様。）。
　
(ア)
「従来例の構成とその問題点
  ビデオ信号やデジタルオーデイオ信号等の
情報信号を
　これらの
高密度記録デイスクにおいては、記録容量を大きくするために定線速度記録されているものが多い。
　
（イ）
「すなわち、上記従来例においては、モータの回転速度を表わす信号として、情報信号中に含まれる同期信号（例えば水平同期信号）を用いているため、情報信号が正しく読取られていなければ制御動作が成立しない。したがつて、例えばデイスクの欠陥によつて情報信号が欠落した場合や、ランダムアクセス動作のために光学ピツクアツプ３のトラツキングサーボを遮断した場合には、モータ２の回転速度の制御は不可能となるため、回転速度が大きく乱され、回復に時間を要する結果になる。
発明の目的
　本発明のデイスク再生装置の回転制御装置は、上記のような従来例に見られる、情報信号が欠落した場合やトラツキングサーボを遮断した場合の回転速度の大きな変動を防止し、映像や音声の乱れを防止することを目的とするものである。」（２頁左欄１０〜２６行）
　
（ウ）
「発明の構成
　本発明の
デイスク再生装置の回転制御装置は、モータと、周波数発電機と、上記周波数発電機の出力に位相同期した信号を発生するフエーズロツクドループ回路（以下PLL回路と略称する）と、上記PLL回路の制御ループを開いて保持状態とする前値保持回路と、上記PLL回路の出力信号と上記周波数発電機の出力信号とを位相比較して上記モータの回転速度を制御するサーボ回路とから構成されるものであつて、デイスクに記録された情報信号に含まれる同期信号が正しく再生されている期間中は同期信号と基準信号とを位相比較することによつてデイスクの回転速度を制御し、かつ、その期間中の周波数発電機の出力信号と周波数の等しい信号をPLL回路によつて作り、正しい回転速度をPLL回路のフライホイール効果によつて記憶しておくものである。
　
デイスクの欠陥による情報信号の欠落が発生した場合や、ランダムアクセス動作のためにピツクアツプのトラツキングサーボを遮断した場合には、上記のPLL回路の、周波数発電機の出力信号への追従動作を停止して前値保持動作に切換え、直前の回転速度を記憶しているPLL回路の出力信号を基準周波数として、モータの回転速度を制御するよう構成されている。
　
（エ）
「第２図は本発明の一実施例の
デイスク再生装置
信号を高密度記録した光学式ビデオデイスクを再生するもの
ビデオデイスク１はモータ２によつて回転駆動され、
モータ２の回転速度は、
同期分離回路７によつて抽出された水平同期信号と、基準信号源８の安定な基準信号とを位相比較器９によつて位相比較し、その出力として得られる位相誤差信号を、ループスイツチ１１および駆動回路１０を介してモータ２へ帰還することによつて制御される。この制御ループはループスイツチ１１によつて開閉可能であり、ループスイツチ１１は同期信号検出回路１２の出力信号で制御されており、水平同期信号が正しく検出されている期間のみ、上述の水平同期信号によるサーボループが閉じるように動作する。
　
モータ２には同軸に周波数発電機１３が設けられており、回転速度に比例した周波数の信号を発生する。周波数発電機１３の出力信号は、位相比較器１４、サンプルホールド回路１５および電圧制御発振器１６によつて構成されるPLL回路の基準信号として入力されており、モータ２の回転速度の変化に対して刻々変化する周波数発電機１３の出力周波数に追従した周波数の信号を発振している。
　前述の
同期信号検出回路１２の出力信号は前述のループスイツチ１１の他に、サンプルホールド回路１５にも加えられており、水平同期信号が正しく検出されている期間のみ、電圧制御発振器１６の周波数を周波数発電機１３の周波数に追従させ、水平同期信号が検出されないときはサンプルホールド回路１５を前値保持状態として、直前の周波数を保持記憶させる。そして、位相比較器１４の出力である誤差信号を、ループスイツチ１１、駆動回路１０を介してモータ２へ帰還し、モータの回転速度を、水平同期信号が正しく検出されていた期間と同じ速度に保持するように制御するものである。
　
上記の同期信号検出回路１２は、デイスクの情報信号の欠落時や、ランダムアクセスに伴うトラツキングサーボループの遮断時に動作し、モータの回転制御ループを切換えることによつて回転速度を保持し、回転速度の大幅な変化による映像や音声の乱れを防止し、情報信号が復帰した後の回転速度の再同期に要する時間を短縮できるものである。
　上述の実施例においては、ビデオデイスク再生装置への応用例を述べたが、デイジタルオーデイオデイスク再生装置にも応用可能であり、デイスクへの記録方式も光学式である必要はなく、また定線速度方式であつても定角速度方式であつてもそのまま応用できる」（２頁右欄１３行〜３頁左欄２２行）
　
（オ）第２図を参酌すると、位相比較器１４は、サンプルホールド回路１５の出力により制御されるＶＣＯ（電圧制御発振器）１６の出力と、周波数発電機１３の出力とを位相比較するものであることが読み取れる。
　
　上記摘記事項及び図面の記載を参酌すると、引用例１には、次の発明（以下、「引用例１発明」という。）が記載されているものと認める。
　
「情報信号を定線速度記録されたビデオデイスク１を再生するデイスク再生装置の回転制御装置において、
　ビデオデイスク１はモータ２によつて回転駆動され、
　モータ２の回転速度は、同期分離回路７によつて抽出された水平同期信号と、基準信号源８の安定な基準信号とを位相比較器９によつて位相比較し、その出力として得られる位相誤差信号を、ループスイツチ１１および駆動回路１０を介してモータ２へ帰還することによつて制御され、
　この制御ループはループスイツチ１１によつて開閉可能であり、ループスイツチ１１は同期信号検出回路１２の出力信号で制御されており、水平同期信号が正しく検出されている期間のみ、上述の水平同期信号によるサーボループが閉じるように動作し、
　モータ２には同軸に周波数発電機１３が設けられており、回転速度に比例した周波数の信号を発生し、
　周波数発電機１３の出力信号は、位相比較器１４、サンプルホールド回路１５および電圧制御発振器１６によつて構成されるPLL回路の基準信号として入力されており、モータ２の回転速度の変化に対して刻々変化する周波数発電機１３の出力周波数に追従した周波数の信号を発振し、
　同期信号検出回路１２の出力信号は前述のループスイツチ１１の他に、サンプルホールド回路１５にも加えられており、水平同期信号が正しく検出されている期間のみ、電圧制御発振器１６の周波数を周波数発電機１３の周波数に追従させ、水平同期信号が検出されないときはサンプルホールド回路１５を前値保持状態として、直前の周波数を保持記憶させ、
　前記ＰＬＬ回路の出力信号と上記周波数発電機の出力信号とを位相比較器１４によって位相比較し、その出力によって上記モータの回転速度を制御するサーボ回路を有し、
　同期信号検出回路１２は、デイスクの情報信号の欠落時や、ランダムアクセスに伴うトラツキングサーボループの遮断時に動作し、ループスイッチ１１によりモータの回転制御ループを切換え、デイスクに記録された情報信号に含まれる同期信号が正しく再生されている期間中のみ、上述の水平同期信号によるサーボループが閉じるように動作し、
　デイスクの欠陥による情報信号の欠落が発生した場合や、ランダムアクセス動作のためにピックアップのトラッキングサーボを遮断した場合には、位相比較器１４の出力である誤差信号を、ループスイッチ１１、駆動回路１０を介してモータ２へ帰還し、モータの回転速度を、水平同期信号が正しく検出されていた期間と同じ速度に保持するように制御する
　デイスク再生装置の回転制御装置。」
　
（２）引用例２
　また、当審からの拒絶の理由に引用された、本願の出願前に頒布された刊行物である特開平３−１１３８６８号公報（以下、「引用例２」という。）には、サーボコントロール回路に関して、図面とともに、以下の技術事項が記載されている。
　
（カ）
「第２図は従来の光学式ディスクの再生装置のサーボコントロール回路を示すブロック構成図であり、光ピックアップのサーボ回路等は省略して示されている。
　図において、１は光学式ディスク、２はディスクモータ、３はレーザビームの焦点をディスクｌの情報面に合わせ、記録された信号を読み取る光ピックアップである。この光ピックアップ３で読み取った信号は、増巾器１１で必要とされるレベルまで増巾され、復調及び誤り訂正符号等の復号回路９に入力される。該復調回路９には、ディスク１から読み取った信号よりクロック成分を抽出する位相同期回路が含まれている。また１３はメモリ（ＲＡＭ）であり、ディスク１から読み取ったジッタと呼ばれる信号のゆらぎを吸収し、復号する。４はディジタルサーボ信号発生回路であり、基準周波数発生回路１０の出力と、ディスク１から読み取られた信号とを比較し、その周波数差及び位相差に相当するディジタル信号を生成する。ここで生成されたディジタルサーボ信号は、パルス巾変調（以下ＰＷＭと記す）回路５により、モータ２の駆動に適した波形に変換され、モータドライバ１２を通してディスクモータ２の回転を制御し、ディスク１の回転を信号の再生に必要な速度に制御する。
　一方、１６は上記ディジタルサーボ信号発生回路４の出力データを複数回、例えば１０２４回平均化する平均値回路である。該平均値回路１６の出力は、ディスクｌからの読み取り信号が欠落した場合に、ＰＷＭ回路５の入力部に設けられたスイッチ７によりディジタルサーボ信号に換えてＰＷＭ回路５の入力となる。６はディスク１からの読み取り信号の欠落を検出する検波回路、１４はディスクの回転開始、停止、その他を制御するマイクロコンピュータ、１５は本装置により再生されたデータの出力端子である。
　次に動作について説明する。
　
ディスク１から光ピックアップ３で読み取られた信号は、増巾器１１で増巾され、復調、復号回路９に入力される。復調された信号と、基準周波数発生回路１０の出力信号をディジタルサーボ信号発生回路４で比較し、その周波数差及び位相差に相当するディジタルデータを生成する。該ディジタルサーボ信号はＰＷＭ回路５に入力され、モータ駆動に適した波形に変換され、モータドライバ１２を通して、ディスクモータ２を制御してディスクモータサーボループを構成する。
　
（３）引用例３
　また、当審からの拒絶の理由に引用された、本願の出願前に頒布された刊行物である特開平３−１８７０３１号公報（以下、「引用例３」という。）には、光ディスク記録装置のレーザ変調回路に関して、図面とともに、以下の技術事項が記載されている。
　
（キ）
「従来の光ディスク記録装置のスピンドルモータのサーボ回路の例を第３図（ｂ）に示す。
　光ピックアップの半径方向位置はリニアスケール２で計測され計測値がマイクロコンピュータ１に入力される。
　マイクロコンピュータ１は光ピックアップの線速度に対応する周波数ｆｓの基準クロックを出力する。
　
スピンドルモータ７の回転数に比例するフリークエンシイジェネレータ８のパルス（周波数ｆ１）が増幅器９を介してサーボアンプ回路３に加えられ、基準クロックの周波数および位相と比較される。サーボアンプ回路３の出力である位相エラー信号と速度エラー信号が加算器４で加算され、位相補償回路５で位相調整された後、スピンドル駆動回路６に入力されてスピンドル駆動回路６の出力が制御される。
　
スピンドル駆動回路６により駆動されるスピンドルモータ７は上記フィードバックループによりフリークエンシイジェネレータ８のパルスの周波数および位相が基準信号の周波数および位相と一致するように制御される。
　
（４）引用例４
　また、当審からの拒絶の理由に引用された、本願の出願前に頒布された刊行物である特公平７−１９４３１号公報（以下、「引用例４」という。）には、光ディスク記録再生装置に関して、図面とともに、以下の技術事項が記載されている。
　
（ク）
「以下、再生信号状態判定回路21のより具体的な構成を説明する。本実施例では、再生信号に基づくCLV制御を行っている際に同期状態に異常が生じてフレーム同期信号が連続的に欠落した場合、又は光ヘッド４が情報の未記録領域に差し掛かってフレーム同期信号が連続的に欠落した場合にこれを検出し、再生時におけるCLV制御を事前記録情報に基づく制御に切り替えるようになっている。
すなわち、
第６図に示すように、再生信号状態判定回路21はカウンタ22、比較器23及び基準値供給回路24を備え、上記の再生信号処理回路16からカウンタ22のリセット端子に所定のタイミングでフレーム同期信号を検出した旨を示す同期信号検出パルスが供給される一方、カウンタ22のクロック端子に所定のタイミングでフレーム同期信号が欠落した旨を示す同期信号欠落パルスが供給される。これにより、同期信号欠落パルスの供給回数がカウンタ22により計数される一方、同期信号検出パルスが供給されるとカウンタ22がリセットされるようになっている。
そして、カウンタ22の値が比較器23にて基準値供給回路24から供給される基準値と比較され、カウンタ22の値が基準値供給回路24からの基準値を超えた場合、換言すれば、フレーム同期信号の欠落が所定回数以上連続して生じた場合、再生信号に基づくCLV制御中に信号の記録済部分で同期異常が生じているか、又は未記録部に差し掛かってフレーム同期信号が検出されない状態であるとみなして、比較器23から切替器15にCLV制御切替信号が出力され、再生時であっても事前記録情報によるCLV制御に切り替えられるように構成されている。
　
３．対比
　本願発明と、引用例１発明とを対比する。
　
(i)引用例１発明の「情報信号を定線速度記録されたビデオデイスク１を再生するデイスク再生装置の回転制御装置」は、本願発明の「線速度一定で記録されたディスクに対してデータの再生を行なうためのディスク回転制御装置」に相当する。　
　
(ii)引用例１発明の「モータ２には同軸に周波数発電機１３が設けられており、回転速度に比例した周波数の信号を発生し」は、周波数発電機に関する具体的な構成についての記載はないが、「回転速度に比例した周波数の信号を発生し」の記載より、モータの１回転中に信号を出力することで回転速度に比例した周波数の信号を発生するものであることは自明であり、実質的に、本願発明の「ディスクを回転駆動するスピンドルモータの所定回転角毎に回転パルスを発生させ」る機能を有するものである。
　また、引用例１発明の「ＰＬＬ回路の出力信号と上記周波数発電機の出力信号とを位相比較器１４によって位相比較し、その出力によって上記モータの回転速度を制御するサーボ回路」の「位相比較」された出力は、本願発明の「該回転パルスに基づいて、所定の基準クロックに対する該回転パルスの位相差情報を含む第１の誤差情報」に相当し、「位相比較器１４」は、本願発明の「第１の誤差検出手段」にそれぞれ相当する。
　
(iii)引用例１発明の「同期分離回路７によつて抽出された水平同期信号と、基準信号源８の安定な基準信号とを位相比較器９によつて位相比較し、その出力として得られる位相誤差信号」は、本願発明の「前記ディスクの再生信号に含まれる同期信号」「に基づいて」検出される、「該同期信号の位相差情報を含む第１の誤差信号」に相当し、引用例１の「同期分離回路７」、「位相誤差信号」を検出する「位相比較器９」は、本願発明の「同期信号を検出」し、「位相差情報を含む第２の誤差情報を検出する第２の誤差検出手段」に相当する。
　
(iv)引用例１発明の「同期信号検出回路１２」は、「デイスクの情報信号の欠落時や、ランダムアクセスに伴うトラツキングサーボループの遮断時に動作」、すなわち「水平同期信号が正しく検出されている期間」は信号を出力しないものであるから、同期信号が正しく検出されているか否かを評価する手段であるといえ、本願発明の「同期信号評価手段」に相当する。
　
(v)引用例１発明の「同期信号検出回路１２は、デイスクの情報信号の欠落時や、ランダムアクセスに伴うトラツキングサーボループの遮断時に動作し、ループスイッチ１１によりモータの回転制御ループを切換え、デイスクに記録された情報信号に含まれる同期信号が正しく再生されている期間中のみ、上述の水平同期信号によるサーボループが閉じるように動作し、
　デイスクの欠陥による情報信号の欠落が発生した場合や、ランダムアクセス動作のためにピックアップのトラッキングサーボを遮断した場合には、位相比較器１４の出力である誤差信号を、ループスイッチ１１、駆動回路１０を介してモータ２へ帰還し、モータの回転速度を、水平同期信号が正しく検出されていた期間と同じ速度に保持するように制御」する動作は、上記「水平同期信号によるサーボループ」は、「同期分離回路７によつて抽出された水平同期信号と、基準信号源８の安定な基準信号とを位相比較器９によつて位相比較し、その出力として得られる位相誤差信号を、ループスイツチ１１および駆動回路１０を介してモータ２へ帰還する」制御ループで、該制御ループの「位相比較器９」によって出力される「位相誤差信号」は、上記(iii)で判断したとおり、本願発明の「第２の誤差情報」に相当し、「位相比較器１４の出力である誤差信号」は、上記(ii)で判断したとおり、本願発明の「第１の誤差情報」に相当するため、上記「位相誤差信号」、「誤差信号」は、本願発明の「第１及び第２の誤差情報を含む複数誤差情報」に相当する。
　また、引用例１発明の「ループスイッチ１１」は、モータ２の回転制御ループを切り換える手段で、上記「位相誤差信号」、「誤差信号」を切換えて駆動回路１０を介してモータ２を制御するためのものであるから、本願発明の「第１及び第２の誤差情報を含む複数誤差情報から択一的に選ばれる選択誤差情報を選択する誤差情報選択手段」に相当する。
　そして、上記「水平同期信号によるサーボループ」、及び「位相比較器１４の出力である誤差信号を、ループスイッチ１１、駆動回路１０を介してモータ２へ帰還し、モータの回転速度を、水平同期信号が正しく検出されていた期間と同じ速度に保持するように制御」する「サーボ回路」は、それぞれ誤差信号が減少する方向にモータの回転を制御するもので、本願発明の「該選択誤差情報に基づいて、誤差が減少する方向に前記スピンドルモータを回転駆動するモータ駆動手段」に相当する。
　そうすると、本願発明と引用例１発明とは、次の点で一致する。
  　
［一致点］
「線速度一定で記録されたディスクに対してデータの再生を行なうためのディスク回転制御装置であって、
　前記ディスクを回転駆動するスピンドルモータの所定回転角毎に回転パルスを発生させ、該回転パルスに基づいて、所定の基準クロックに対する該回転パルスの位相差情報を含む第１の誤差情報を検出する第１の誤差検出手段と、
　前記ディスクの再生信号に含まれる同期信号を検出し、該同期信号に基づいて、該同期信号の位相差情報を含む第２の誤差情報を検出する第２の誤差検出手段と、
　同期信号評価手段と、
　前記第１及び第２の誤差情報を含む複数誤差情報から、択一的に選ばれる選択誤差情報を選択する誤差情報選択手段と、
　該選択誤差情報に基づいて、誤差が減少する方向に前記スピンドルモータを回転駆動するモータ駆動手段と
　を有するディスク回転制御装置。」
  　
　そして、次の各点で相違する。
［相違点］
　
相違点（イ）
　本願発明の「第１誤差検出手段」が、基準クロックに対する該回転パルスの周波数誤差も検出するのに対し、引用例１発明の「位相比較器１４」は、周波数誤差を検出する点が明確ではない点。
　
相違点（ロ）　
　本願発明の「第２誤差検出手段」が「同期信号の周波数誤差」も検出するのに対し、引用例１発明の「位相比較器９」は、周波数誤差を検出する点が明確ではない点。
　
相違点（ハ）
　本願発明の「同期信号評価手段」は、「同期信号が所定間隔で検出されているか否かを判定する」のに対し、引用例１発明の「同期信号検出回路１２」は、「同期信号が正しく検出されている」ことのみ記載されている点。
　
相違点（ニ）
　本願発明が、「所定周期のクロックをカウントし、且つ、前記同期信号評価手段において前記同期信号が所定間隔で検出されていると判定されている間、前記同期信号が検出される前記所定間隔で前記カウントがリセットされることによって、前記同期信号が所定間隔で検出されない期間を計測する計測手段と、
　該計測手段による計測値と所定値とを比較する比較器」を備えるのに対し、引用例１発明は、このような構成がない点。
　
相違点（ホ）
　本願発明が、「誤差情報選択手段が、前記第２の誤差情報を選択しているとき、前記計測値が前記所定値以上になった段階で前記第１の誤差情報を選択する」のに対し、引用例１発明は、上記相違点（ニ）のような構成を備えていないため、制御ループを切り換えるためのパラメータが異なる点。
　
４．当審の判断
　そこで、上記各相違点について検討する。
　
相違点（イ）（ロ）について
　ディスクに記録された同期信号を用いてスピンドルモータの回転速度を制御する際に、同期信号と、基準となる信号の位相差及び周波数差を用いること、ならびに、モータの回転速度を検出してモータの回転速度を制御する際に、基準となる信号と回転速度検出信号との位相差及び周波数差を用いて制御することは、それぞれ上記引用例２、３に記載されるよう周知であり、引用例１発明において、上記周知の技術を採用し、位相差に加えて周波数差を用いてモータの回転を制御することは、単なる周知技術の付加により、当業者が適宜なし得たことである。
　
相違点（ハ）（ニ）について
　上記引用例４の「所定のタイミングで」「同期信号を検出した旨を示す同期信号検出パルスを供給する」「再生信号処理回路１６」は本願発明の「同期信号が所定間隔で検出されているか否かを判定する同期信号評価手段」に相当し、「カウンタ２２のクロック端子に所定のタイミングでフレーム同期信号が欠落した旨を示す同期信号欠落パルスが供給され」「同期信号欠落パルスの供給回数、すなわち、同期信号が欠落している期間がカウンタ２２により計数される一方、同期信号検出パルスが供給されるとカウンタ２２はリセットされ」「カウンタ22の値が比較器23にて基準値供給回路24から供給される基準値と比較され、カウンタ22の値が基準値供給回路24からの基準値を超えた場合、換言すれば、フレーム同期信号の欠落が所定回数以上連続して生じた場合、再生信号に基づくCLV制御中に信号の記録済部分で同期異常が生じているか、又は未記録部に差し掛かってフレーム同期信号が検出されない状態であるとみなして」は、本願発明の「所定周期のクロックをカウントし、且つ、前記同期信号評価手段において前記同期信号が所定間隔で検出されていると判定されている間、前記同期信号が検出される前記所定間隔で前記カウントがリセットされることによって、前記同期信号が所定間隔で検出されない期間を計測する計測手段」及び「該計測手段による計測値と所定値とを比較する比較器」に相当する。
　そうすると、引用例４には、上記相違点（ハ）（ニ）の構成が記載されているといえ、引用例１発明において、同期信号が正確に再生されているか否かを、上記引用例４に記載された、上記相違点（ハ）（ニ）の構成をもって置き換えることは、当業者が容易に想到し得たものである。
　また、上記相違点（ハ）（ニ）の構成とすることで、「同期信号が欠落している期間」が「基準値を超えた場合」、同期信号によるモータ制御から、回転数を検出してのモータ制御に切り換えること、すなわち相違点（ホ）の構成は、当業者が当然に行うことである。
　そして、上記各相違点についての判断を総合しても本願発明の奏する効果は引用例１乃至４から当業者が充分に予想可能なものであって、格別のものとは言えない。
　したがって、本願発明は、引用例１乃至４に記載された発明に基づいて、当業者が容易に発明をすることができたものである。
　
　なお、請求人は、平成１９年５月１０日付け意見書において、
「一方、引用文献１では、周波数検出器の出力周波数に対し、速度制御と位相制御を行い、再生信号が読めなければ位相制御をはずす構成となっており、これは本願請求項１の発明におけるＣＡＶ制御とＣＬＶ制御とを切替える構成と全く異なるものであります。」
と主張するが、引用例１には、上記「２．（１）」で引用例１発明として認定したとおり、
「同期信号検出回路１２は、デイスクの情報信号の欠落時や、ランダムアクセスに伴うトラツキングサーボループの遮断時に動作し、ループスイッチ１１によりモータの回転制御ループを切換え、デイスクに記録された情報信号に含まれる同期信号が正しく再生されている期間中のみ、上述の水平同期信号によるサーボループが閉じるように動作し、
　
デイスクの欠陥による情報信号の欠落が発生した場合や、ランダムアクセス動作のためにピックアップのトラッキングサーボを遮断した場合には、位相比較器１４の出力である誤差信号を、ループスイッチ１１、駆動回路１０を介してモータ２へ帰還し、モータの回転速度を、水平同期信号が正しく検出されていた期間と同じ速度に保持するように制御する
　
５．むすび
　以上のとおり、本願の請求項１に係る発明は、引用例１乃至４に記載された発明に基づいて、当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。